(57)【要約】【課題】  設置工事を不要とし、したがって既存の建物に容易に適用でき、簡単な構造で店舗内の温度分布を均一にすることができる店舗用自立型空調装置及び店舗の空調方法を提供する。【解決手段】  床面Ｆに設置される基台１と、前記床面Ｆに対して鉛直方向に配設され、前記基台１に固定された円筒状のダクト２と、前記ダクト２内に空気を流通させるための送風ファン３とを備えた装置本体４からなる店舗用自立型空調装置であって、前記ダクト２の上側に、前記ダクト２と略同径の上部開口部材６が取り付けられ、当該上部開口部材６からの空気の流通方向が、前記ダクト２の軸方向以外の角度である。【選択図】        図１
2009115391.tif 000002
【特許請求の範囲】
【請求項１】
床面に設置される基台と、
前記床面に対して鉛直方向に配設され、前記基台に固定された円筒状のダクトと、
前記ダクト内に空気を流通させるための送風ファンとを備えた装置本体からなる店舗用自立型空調装置であって、
前記ダクトの上側に、前記ダクトと略同径の上部開口部材が取り付けられ、
当該上部開口部材からの空気の流通方向が、前記ダクトの軸方向以外の角度であることを特徴とする店舗用自立型空調装置。
【請求項２】
前記基台の下面側には、前記ダクトの軸方向に向けて傾斜するテーパ面を備えたディフューザーが備わることを特徴とする請求項１に記載の店舗用自立型空調装置。
【請求項３】
前記上部開口部材からの空気の流通方向は、前記床面に対して７５°以下であることを特徴とする請求項１又は２に記載の店舗用自立型空調装置。
【請求項４】
前記上部開口部材は、前記ダクトに対して、前記ダクトの軸方向を中心に回転可能であることを特徴とする請求項１〜３のいずれかに記載の店舗用自立型空調装置。
【請求項５】
前記ダクトの上端は、前記床面との温度差が６℃以上の位置に設けられることを特徴とする請求項１〜４のいずれかに記載の店舗用自立型空調装置。
【請求項６】
請求項１〜５のいずれかに記載の店舗用自立型空調装置を用いた店舗の空調方法であって、
前記装置本体が、棚内の商品を冷やすために冷気が吹出される冷凍又は冷蔵ショーケースの近傍に設置され、
当該冷凍又は冷蔵ショーケースの近傍は、前記冷凍又は冷蔵ショーケースから吹出された冷気が滞留する箇所であることを特徴とする店舗の空調方法。
【発明の詳細な説明】
【技術分野】
【０００１】
この発明は、店舗、特に食品スーパー内の温度分布を均一にするための店舗用自立型空調装置及び店舗の空調方法に関するものである。
【背景技術】
【０００２】
食品スーパー等の店舗において、生鮮食品を陳列する棚として、冷凍や冷蔵のため、冷気を吹出す冷凍又は冷蔵ショーケースが用いられている。この冷気は、ショーケース内を循環させるように設定されているが、冷気がケース外側に漏れ、これが床面に滞留し、いわゆるコールドエイルが生じていた。このため、店舗内の冷凍又は冷蔵ショーケースの近傍は、極低温となり、店舗の利用者にとって不快感を生じさせ、夏場であっても寒く感じる。また、店舗に設置されたパッケージエアコンは、上部空間の温度制御であり、エネルギー的に無駄であった。これに伴い、店舗内の例えば冷凍又は冷蔵ショーケース近傍の温度と、これから離れた位置の温度との温度差が広がり、店舗全体としての空調制御も複雑となり、支障をきたしている。
【０００３】
図７は従来の食品スーパーの温度分布を示す縦断面図であり、図８は従来の食品スーパーの温度分布を示す横断面図である。図８は、床から１０ｃｍにおける断面を示す。
【０００４】
図７に示すように、従来の店舗では、冷気を吹出す冷凍又は冷蔵ショーケースＣの近傍の床面は、コールドエイルが発生し、１８℃以下の低温となっている。このため、店舗の利用者は寒く感じ、足元等の身体が冷えてしまう。また、図８に示すように、店舗内においても、冷凍又は冷蔵ショーケースＣの付近の温度と、これから遠い位置における温度の温度差が大きいものとなっている。
【０００５】
上述したように、パッケージエアコンＰは、外気温度の上昇に伴い、強冷房運転をしても、パッケージエアコンＰは店舗の天井部分に吹出口が備わるため、重さの重い冷気の上部から、重さの軽い暖気を当てても、暖気は冷気に跳ね返ってしまい（図７の矢印）、滞留した冷気を動かすことはできず、コールドエイルの解消とはなっていない。
【０００６】
一方で、コールドエイルを発生する店舗の空調手段として、デシカント空調が用いられている。このデシカント空調は、店舗とは別室にヒーターを備えた空調設備を設置し、店舗内の温度制御を行うものである。しかしながら、デシカント空調は、大型であり、設置にも工事を要する。また、ヒーターを用いて店舗内の冷気を中和するため、エネルギー的にも効率が悪いものである。
【０００７】
さらに一方で、店舗用空調設備が特許文献１に開示されている。この店舗用空調設備は、工事の省力化や設備の省スペース化を図ったものである。しかしながら、特許文献１の店舗用空調設備は、特に専用の壁パネルを必要とし、やはり工事が必要であり、設置には大掛かりな工程と日数を要することになる。
【０００８】
【特許文献１】特開２００６−８１６６１号公報
【発明の開示】
【発明が解決しようとする課題】
【０００９】
この発明は、上記従来技術を考慮したものであって、設置工事を不要とし、したがって既存の建物に容易に適用でき、簡単な構造で店舗内の温度分布を均一にすることができる店舗用自立型空調装置及び店舗の空調方法を提供することを目的とする。
【課題を解決するための手段】
【００１０】
前記目的を達成するため、請求項１の発明では、床面に設置される基台と、前記床面に対して鉛直方向に配設され、前記基台に固定された円筒状のダクトと、前記ダクト内に空気を流通させるための送風ファンとを備えた装置本体からなる店舗用自立型空調装置であって、前記ダクトの上側に、前記ダクトと略同径の上部開口部材が取り付けられ、当該上部開口部材からの空気の流通方向が、前記ダクトの軸方向以外の角度であることを特徴とする店舗用自立型空調装置を提供する。
【００１１】
請求項２の発明では、前記基台の下面側には、前記ダクトの軸方向に向けて傾斜するテーパ面を備えたディフューザーが備わることを特徴としている。
【００１２】
請求項３の発明では、前記上部開口部材からの空気の流通方向は、前記床面に対して７５°以下であることを特徴としている。
【００１３】
請求項４の発明では、前記上部開口部材は、前記ダクトに対して、前記ダクトの軸方向を中心に回転可能であることを特徴としている。
【００１４】
請求項５の発明では、前記ダクトの上端は、前記床面との温度差が６℃以上の位置に設けられることを特徴としている。
【００１５】
また、請求項６の発明では、請求項１〜５のいずれかに記載の店舗用自立型空調装置を用いた店舗の空調方法であって、前記装置本体が、棚内の商品を冷やすために冷気が吹出される冷凍又は冷蔵ショーケースの近傍に設置され、当該冷凍又は冷蔵ショーケースの近傍は、前記冷凍又は冷蔵ショーケースから吹出された冷気が滞留する箇所であることを特徴とする店舗の空調方法を提供する。
【発明の効果】
【００１６】
請求項１の発明によれば、床面に対して鉛直方向に配設されたダクトの上側に取り付けられた、上部開口部材からの空気の流通方向が、ダクトの軸方向以外の角度であるため、例えばダクト下側から床面付近の冷気を送風ファンにより吸い上げて上部開口部材の開口から吹出す場合、吹出された冷気がそのままダクトの真上の天井に当たって、再び基台付近の床面に戻ってコールドエイルとなることを防止できる。上部開口部材からの空気の流通方向に角度を設けることにより、吹出された冷気は装置本体から少し離れた位置の天井にぶつかり、跳ね返ることでさらに遠くの位置に流通される（コアンダ効果）。したがって、コールドエイルによる冷気を店舗内の広い範囲において循環させることができ、結果として店舗内の温度分布を均一にすることができる。これに伴い、例えば夏場であれば、店舗内に予め備わるパッケージエアコンの空調設定温度を上昇させることができ、電力消費を低減することができる。
【００１７】
請求項２の発明によれば、基台の下面側に、ダクトの軸方向に向けて傾斜するテーパ面を備えたディフューザーが備わるため、基台の下面側はこのディフューザーで覆われる。このため、基台下面からダクトへの空気の流通がディフューザーにより遮断される。したがって、例えばダクト下側から床面付近の冷気を送風ファンにより吸い上げる場合、冷気は基台下面からではなく、基台の側面側から吸入される。これにより、床面の塵埃を冷気とともに吸い上げることを防止できる。また、店舗内に循環流通させる空気の清浄度を保つことができる。さらに、ディフューザーはダクトの軸方向に向けたテーパ面を備えているため、基台側面とダクトの間の空気の流通をスムーズに行うことができる。
【００１８】
請求項３の発明によれば、上部開口部材からの空気の流通方向が、床面に対して７５°以下であるため、例えばダクト下側から床面付近の冷気を送風ファンにより吸い上げて上部開口部材の開口から吹出す場合、より効率よく吹出し空気を店舗の天井にぶつけることができ、より広い範囲での吹出し空気の循環を実現できる。
【００１９】
請求項４の発明によれば、上部開口部材が、ダクトの軸方向を中心に回転可能に形成されるため、店舗の設置場所にかかわらず、上部開口部材を回転させることにより、店舗の最適な方向に吹出し空気を上部開口部材から吹出すことができ、又は最適な方向から店内上部の空気を吸入することができる。
【００２０】
請求項５の発明によれば、ダクトの上端が、床面との温度差が６℃以上、すなわち床面との温度差の比較的大きい位置に設けられるため、店舗内の空気の循環を効率よく行うことができる。したがって、迅速に店舗内の温度分布を均一にすることができる。
【００２１】
また、請求項６の発明によれば、装置本体が、冷凍又は冷蔵ショーケースから吹出された冷気が滞留する箇所、すなわちコールドエイルに設置されるため、例えばダクト下側から床面付近の冷気を送風ファンにより吸い上げて上部開口部材の開口から吹出す場合、効率よくコールドエイルの冷気を店舗内に循環させることができ、迅速にコールドエイルを解消することができる。
【発明を実施するための最良の形態】
【００２２】
この発明は、床面に設置される基台と、前記床面に対して鉛直方向に配設され、前記基台に固定された円筒状のダクトと、前記ダクト内に空気を流通させるための送風ファンとを備えた装置本体からなる店舗用自立型空調装置であって、前記ダクトの上側に、前記ダクトと略同径の上部開口部材が取り付けられ、当該上部開口部材からの空気の流通方向が、前記ダクトの軸方向以外の角度として、設置工事を不要とし、したがって既存の建物に容易に適用でき、簡単な構造で店舗内の温度分布を均一にすることができる店舗用自立型空調装置及び店舗の空調方法である。
【実施例】
【００２３】
図１はこの発明に係る店舗用自立型空調装置の概略図である。
【００２４】
図示したように、この発明に係る空調装置は、基台１と、円筒状のダクト２と、送風ファン３とからなる装置本体４で構成される。基台１は、枠体で形成され、床面Ｆに設置される。このとき、基台１の上面は、ダクト２と連通する箇所以外は閉塞される。ダクト２は、基台１に固定され、床面Ｆに対して鉛直方向に配設される。送風ファン３は基台１内に備わる。この送風ファン３を運転することにより、ダクト２内に空気を流通させることができる。なお、図では送風ファン３をダクト２の下側に設けた例を示したが、ダクト２の内部であってもよいし、ダクト２の上側でもよい。下側に設けたほうが、装置本体４の重量バランスがよくなるため好ましい。装置本体４を壁面Ｗの近傍に設置する場合は、転倒防止材５を介してダクト２を壁面Ｗに固定する。これにより、装置本体４の設置の安定性が向上する。
【００２５】
ダクト２の上側には、上部開口部材６が取り付けられる。この上部開口部材６は、ダクト２と同径の円筒状であり、湾曲して形成される。この上部開口部材６をダクト２に接続することにより、ダクト２の上部開口端面７が上部開口部材６により形成される。したがって、上部開口部材６が湾曲しているため、上部開口端面７の中心軸はダクト２の中心軸とは異なる角度に形成される。なお、この上部開口部材６は容易に着脱可能であり、種々の形状の上部開口部材６と交換可能である。また、上部開口部材６を湾曲させずに直線状とし、一方の端面を閉塞して、上部開口部材６の側面を網目状の部材で形成してもよい。このようにすれば、塵埃の高い箇所であっても、網目がフィルタの役目を果たすことで、清浄度を保ち、また取り扱い性も向上する。
【００２６】
このような装置本体４からなる店舗用自立型空調装置を、食品スーパーの冷凍又は冷蔵ショーケース近傍のコールドエイルが発生している位置に設置し、送風ファン３を回転させると、下側の低温空気を送風ファン３が吸い上げ、ダクト２内を通し、上部開口部材６の上部開口端面７から低温空気を排出する。これにより、店舗内の上部と下部、すなわち上下方向の温度差をなくすことができる。また、上部開口端面７から角度をつけて吹出すことにより、低温空気を遠くに飛ばすことができ、店舗内における横方向の温度差もなくすことができる。このとき、流速を上げるためにダクト２の内径を小さくし、ベンチュリ部を設けてもよい。このようにして、店舗内全体の温度分布の均一化を図ることができる。
【００２７】
また、送風ファン３の送風方向を逆方向にすることによって、店舗の上側の空気を上部開口端面７から吸入し、ダクト２の下部から排出することができる。このように、店舗上側の暖気を送風ファン３により強制的に店舗下側のコールドエイル付近に吹出すため、店舗内の暖気と冷気の入れ替えを行い、温度分布の均一化を図ることができる。また、店舗利用者は足元から暖気が吹出されるため、特に冬場においては快適に店舗を利用することができる。
【００２８】
基台１の下面側には、ダクト２の軸方向に向けて傾斜したテーパ面を有するディフューザー８が取り付けられる。基台１の下面における空気の流通は、このディフューザー８により遮断される。したがって、上述したように、ダクト２の下側から床面付近の冷気を送風ファン３により吸い上げる場合、冷気は基台１の下面からではなく、基台１の側面側から吸入される（図の矢印Ｘ方向）。これにより、床面Ｆの塵埃を冷気とともに吸い上げることを防止し、すなわち床面Ｆ上の塵埃が送風ファン３により巻き上げられることはなく、店舗内に循環流通させる空気の清浄度を保つことができる。さらに、ディフューザー８が、ダクト２の軸方向に向けて傾斜したテーパ面８ａを備えているため、ダクト２にスムーズに空気を吸い込むことができる。
【００２９】
装置本体４は、店舗の壁面や備え付けのパッケージエアコン等とは独立して稼働し、基台１を設置することにより店舗の任意の位置に配置できる自立構造式である。このため、設置に関し大掛かりな工事を必要とせず、そのための日数や費用もかからない。さらに、設置に際するレイアウトの自由度も確保することができる。
【００３０】
図２はこの発明に係る店舗用自立空調装置の基台とダクトの接合部分の拡大概略図である。
【００３１】
図示したように、基台１の上面にダクト２の下側が当接し、基台１内とダクト２は連通する構造となっている。基台１内には、送風ファン３が備わる。送風ファン３は枠体内に収まり、送風ファンユニット９として、ディフューザー８上に載置される。ダクト２は基台１に対して着脱可能である。したがって、店舗の大きさに合わせて、種々の長さのダクト２を使用することができる。
【００３２】
図３はこの発明に係る別の店舗用自立空調装置の基台とダクトの接合部分の拡大概略図である。
【００３３】
図示したように、送風ファンユニット９とダクト２の下面との間に、上側に向かって径が徐々に小さくなる円筒状のレジューサー１０が介在される。これにより、送風ファン３により吸い上げられた空気は、効率よくダクト２内に流入する。その他の構成は図２と同様である。
【００３４】
図４はこの発明に係る店舗用自立型空調装置を設置した食品スーパーの温度分布を示す縦断面図である。また、図５はこの発明に係る店舗用自立型空調装置を設置した食品スーパーの温度分布を示す横断面図である。なお、図４、図５は装置下側から冷気を吸入し、装置上側からこの吸入空気を吹出して使用した場合を示す。図５は、床から１０ｃｍにおける断面を示す。
【００３５】
図４に示すように、冷凍又は冷蔵ショーケースＣから吹出された冷気は、基台1の側面から吸入される（図４の矢印Ｅ）。これがダクト２を通り、上部開口端面７から吹出される。このとき、上述したように、上部開口部材６が湾曲して形成されるため、この吹出し空気は、装置本体４から少し離れた位置の天井にぶつかり、跳ね返ることで、コアンダ効果によりさらに遠くの位置に流通される（図４の矢印Ａ）。したがって、コールドエイルによる冷気を店舗内の広い範囲において循環させることができ、結果として店舗内の温度分布を均一にすることができる。これに伴い、例えば夏場であれば、店舗に予め備わるパッケージエアコンＰの空調設定温度を上昇させることができ、電力消費を低減することができる。また、上部開口部材６が湾曲していることにより、上部開口端面７から吹出された冷気がそのままダクトの真上の天井に当たって、再び基台１付近の床面に戻ってコールドエイルとなることを防止できる。
【００３６】
この上部開口端面７からの空気の流通方向を床面Ｆに対して７５°以下とすれば、効率よくコアンダ効果を得ることができ、さらに広い範囲での空気の循環を行うことができる。したがって、上部開口端面７から吹出された空気を一旦天井に当てるために、上部開口端面７は斜め上方を向いてるほうが好ましい。また、ダクト２の上端、すなわち上部開口部材６は、床面Ｆとの温度差が６℃以上の位置（高さ）に設けられることが好ましい。このように温度差の大きい位置（高さ）に設ければ、より効率よく店舗内の温度分布を均一にすることができる。
【００３７】
図４で示すようにパッケージエアコンＰが備わっている場合は、店舗の上部で上部開口端面７からの吹出し空気とパッケージエアコンＰからのエアコン空気が混合される。これらの空気の流量は、吹出し空気の流量が、エアコン空気の全流量に対して１５％程度であることが好ましい。
【００３８】
図５に示すように、装置本体４を冷凍又は冷蔵ショーケースの近傍に設置することにより、店舗内の温度分布の均一化を図ることができた。上述したように、装置本体４は自立構造式であるため、既存の建物に容易に適用でき、その設置場所についても制限はなく、例えば店舗の隅に設置することも可能である。この際、上部開口部材６をダクト２に対して回転させることにより、上部開口端面７から吹出す空気の吹出し方向を調節することができ、効率よく空気を循環させることができる。また、設置するときは、冷凍又は冷蔵ショーケースＣの近傍のコールドエイル発生箇所とすることが好ましい。冷気が滞留する箇所に設置することにより、効率よくコールドエイルの冷気を店舗内に循環させることができ、迅速にコールドエイルを解消することができる。
【００３９】
図６はこの発明に係る店舗用自立型空調装置を設置した食品スーパーの温度分布を示す縦断面図である。なお、図６は装置上側から店舗上部の暖気を吸入し、装置下側からこの吸入空気を吹出して使用した場合を示す。
【００４０】
図示したように、図４の場合とは送風ファンの送風方向を逆方向にすることにより、上部開口端面７から店舗上部の空気を吸入し（矢印Ｂ）、ダクト２の下側からこれを吹出して（矢印Ｄ）店舗内の温度を均一にすることもできる。この運転は、パッケージエアコンＰで暖房運転を行っている場合のように、店舗上部の空気が暖かい冬場において効果的である。
【図面の簡単な説明】
【００４１】
【図１】この発明に係る店舗用自立型空調装置の概略図である。
【図２】この発明に係る店舗用自立空調装置の基台とダクトの接合部分の拡大概略図である。
【図３】この発明に係る別の店舗用自立空調装置の基台とダクトの接合部分の拡大概略図である。
【図４】この発明に係る店舗用自立型空調装置を設置した食品スーパーの温度分布を示す縦断面図である。
【図５】この発明に係る店舗用自立型空調装置を設置した食品スーパーの温度分布を示す横断面図である。
【図６】この発明に係る店舗用自立型空調装置を設置した食品スーパーの温度分布を示す縦断面図である。
【図７】従来の食品スーパーの温度分布を示す縦断面図である。
【図８】従来の食品スーパーの温度分布を示す横断面図である。
【符号の説明】
【００４２】
１：基台、２：ダクト、３：送風ファン、４：装置本体、５：転倒防止材、６：上部開口部材、７：上部開口端面、８：ディフューザー、９：送風ファンユニット、１０：レジューサー、
Ｃ：冷凍又は冷蔵ショーケース、Ｆ：床面、Ｐ：パッケージエアコン、Ｗ：壁面
【図１】
2009115391.tif 000003
【図２】
2009115391.tif 000004
【図３】
2009115391.tif 000005
【図４】
2009115391.tif 000006
【図５】
2009115391.tif 000007
【図６】
2009115391.tif 000008
【図７】
2009115391.tif 000009
【図８】
2009115391.tif 000010